(57)【要約】      （修正有）【課題】構造が簡単で、運転の安定性が高く、使用寿命が長く、分解組み立て保守が容易な材料を攪拌及び調和させる用途のミキサーを提供する。【解決手段】基台２上に駆動装置３を設け、駆動装置に転動アーム４を接続し、転動アーム上にミックス材料を入れる箱体５を載置する載置部４１を設け、駆動装置が転動アームを駆動する時、箱体内に入れた材料を混合する。駆動装置及び該転動アーム間に一組の伝動装置４２を設け、順に相互に噛み合う歯車組が第１平歯車４２１、第２平歯車４２２、傘歯車４２３のより構成し、第１平歯車及び第２平歯車は、相互に噛み合う円柱体歯車であって軸心が平行軸心であり、第２平歯車及び傘歯車は相互に噛み合い、傘歯車は載置部と相互に接する。【選択図】図１
0003152202.tif 000002
【実用新案登録請求の範囲】
【請求項１】
基台上に駆動装置を設け、該駆動装置に転動アームを接続し、該転動アーム上にミックス材料を入れる箱体を載置する載置部を設け、該駆動装置が該転動アームを駆動して箱体内に入れた材料をミックスミキサーにおいて、
該駆動装置及び該転動アーム間に一組の伝動装置を設け、
該伝動装置は順に相互に噛み合う第１平歯車、第２平歯車、傘歯車を配置し、該第１平歯車及び第２平歯車は相互に噛み合うと共にその軸心が平行な２つの円柱体歯車であり、第２平歯車及び傘歯車は相互に噛み合うと共に、該傘歯車は、上記載置部と相互に接する構成としたことを特徴とするミキサー。
【請求項２】
前記転動アームに貫通孔を設けて駆動装置と接続する固定軸をその上方に貫通させ、該第１平歯車を該固定軸の上部に嵌合したことを特徴とする請求項１記載のミキサー。
【請求項３】
前記転動アームは、第２平歯車を載置させる軸体を具えることを特徴とする請求項２記載のミキサー。
【請求項４】
前記転動アームは、載置部を固定する軸受けを具えることを特徴とする請求項１記載のミキサー。
【請求項５】
前記駆動装置がモータであることを特徴とする請求項１記載のミキサー。
【請求項６】
前記転動アーム及び載置部間にマスク体を設けたことを特徴とする請求項１記載のミキサー。
【考案の詳細な説明】
【技術分野】
【０００１】
本考案は、材料を攪拌及び調和する用途のミキサーに関し、特に、構造が簡単で、運転安定性が高く、使用寿命が長く、分解組み立てが容易である利点を有し、プリントキャスト粉及び石膏粉またはその他の粉状物のミックス攪拌に適用する２つの平歯車及び１つの傘歯車が構成するミキサーに関する。
【背景技術】
【０００２】
プリントキャスト製造において、一定量のプリントキャストを容器内に入れ、溶液と混合した後、ミキサーを利用し、プリントキャスト粉と溶液をミックスし攪拌するが、該従来ミキサーの運転設計において、２つの傘歯車と１つの平歯車が相互に噛み合い、歯車の受力点が平均せず、傘歯車が高速運転動作中に発生する大きな負荷に耐えられず、容易に磨耗損壊し、且つ相互に噛み合った傘歯車の分解及び組み立てにおいて非科学性を設計する困難を有し、保守に対して、大きな不便と費用・時間を生じさせる。
【先行技術文献】
【特許文献】
【０００３】
【特許文献１】特開２００５−２４２０９５号公報
【考案の概要】
【考案が解決しようとする課題】
【０００４】
本考案の目的は、構造が簡単で、運転の安定性が高く、使用寿命が長く、分解組み立て保守が容易な材料を攪拌及び調和させる用途のミキサーを提供することである。
【課題を解決するための手段】
【０００５】
上記の目的を達成するため、本考案が提供する材料を攪拌及び調和させる用途のミキサーは、基台を備え、その上に駆動装置を設け、該駆動装置が転動アームを接続し、該転動アーム上にミックス材料を入れる箱体を載置する載置部を設け、該駆動装置が該転動アームを駆動する時、箱体内に入れた材料を混合する。該駆動装置及び該転動アーム上に一組の伝動装置を設け、その改良は、該伝動装置を構成するのが順に相互に噛み合う第１平歯車、第２平歯車、傘歯車であることにあり、そのうち、該第１平歯車及び第２平歯車は、相互に噛み合う円柱体歯車であり、その軸心が平行軸心であり、第２平歯車及び傘歯車が相互に噛み合い、傘歯車は、載置部と相互に接し、第１平歯車とその固定軸は、活動的に被せ合わせられる。
【考案の効果】
【０００６】
本考案は、以下の利点を有する：
１．本考案は、第１平歯車４２１、第２平歯車４２２及び傘歯車４２が噛み合って構成される伝動装置４２であり、第１平歯車４２１及び第２平歯車４２２の接触面は、従来に比べ、何れも傘歯車の接触面積が大きく（図５参照）、負荷が平均化され、耐久性が高く、高速運転動作中に発生する大きな負荷に耐えることができ、長く使用して、歯車は、磨耗損壊し難く、ミキサーの使用寿命を延長する。
２．本考案は、その軸心が平行軸心である２つの円柱体歯車の第１平歯車４２１、第２平歯車４２２及び傘歯車４２３が噛み合って構成される伝動装置４２であるので、歯車接触面は、斜面相対方式ではなく、垂直平面相対方式で接触され、第１平歯車４２１を分解交換する必要がある時、第１平歯車４２１を直接取り外すことができ、第１平歯車４２１と固定軸６は、分離することができるので、従来の構造のように先ずその他の歯車を取り除いてから、取り外さなければならないものと異なる。
３．本考案の第１平歯車４２１と固定軸６は、滑動的に被せ合わせられ、第１平歯車が損傷を受けた後に、すぐに取り外し交換でき、固定軸６を交換する必要がないので、従来の構造の固定軸と歯車が一体に成型され、固定軸も併せて交換が必要であるものと異なり、本考案は、保守の分解組み立てにおいて非常に便利である。
【図面の簡単な説明】
【０００７】
【図１】本考案のミキサーの立体外観説明図である。
【図２】本考案の転動アーム、伝動装置及び載置部の立体外観分解図である。
【図３】本考案の転動アームが基台と結合前の立体外観分解図である。
【図４】本考案の転動アーム、伝動装置及び載置部が結合後の立体外観説明図である  。
【図５】本考案の転動アーム上に各歯車噛み合った後の転動の説明図である。
【考案を実施するための形態】
【０００８】
図１〜図５は、本考案のミキサー１の実施例である。
【０００９】
本考案のミキサー１は、基台２を具え、その上に駆動装置３を設け、該駆動装置は、モータであり、転動アーム４を接続し、該転動アーム４上にミックス材料を入れる箱体５を載置する載置部４１を設ける。
【００１０】
該転動アーム４上に伝動装置４２を設け、該伝動装置４２は、第１平歯車４２１、第２平歯車４２２及び傘歯車４２３を具え、該第１平歯車４２１及び第２平歯車４２２は、相互に噛み合う円柱体歯車であり、その軸心は、平行軸心であり、第２平歯車４２２及び傘歯車４２３は、相互に噛み合い、傘歯車４２３は、載置部４１と相互に接する。
【００１１】
該転動アームは、貫通孔４３を設けて機台２上の駆動装置３と接続する固定軸６を上に貫通させ、該第１平歯車４２１を該固定軸６の上部に嵌合してその上に固定する。該転動アーム４は、第２平歯車４２２の軸体４４、及び載置部４１を固定する軸受け４５を具え、転動アーム４と載置部４１間にマスク体４６を設ける。
【００１２】
本考案実施例の図３〜図５において、ミックス材料、例えば、プリントキャスト粉又はその他の粉状物を入れる箱体５を載置部４１に載置して後、駆動装置３を起動して転動アーム４を駆動する。転動アーム４は、順時計回り方向に転動すると同時に転動アーム４に設けた第２平歯車４２２の回転を連動し、第２平歯車４２２は、第１平歯車４２１と傘歯車４２３の間で噛み合い、第１平歯車４２１がその固定軸６上に固定されて転動しないことにより、該第２平歯車４２２は、第１平歯車４２１外周に巻き付いて回転し（図５の順時計回り方向の回転を参照）、傘歯車４２３は、該第２平歯車４２２により連動され、逆時計方向の転動を形成し、傘歯車４２３上に結合する載置部４１が、傘歯車４２３が回転する方向に従って回転するようにし、載置部４１上の該箱体５内のミックス材料をミックスする。
【００１３】
上記のようにして、本考案は、所期の目的を達成することができ、構造が簡単で、運転の安定性が高く、使用寿命が長く、分解保守が容易なミキサーを提供し、産業上の利用及び実用の価値を有する。なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００１４】
１  ミキサー
２  基台
３  駆動装置
４  転動アーム
４１  載置部
４２  伝動装置
４２１  第１平歯車
４２２  第２平歯車
４２３  傘歯車
４３  貫通孔
４４  軸体
４５  軸受け
４６  マスク体
５  箱体
６  固定軸
【図１】
0003152202.tif 000003
【図２】
0003152202.tif 000004
【図３】
0003152202.tif 000005
【図４】
0003152202.tif 000006
【図５】
0003152202.tif 000007